(57)【要約】【課題】  操作信号体系の異なる複数種類の遠隔操作手段により操作可能な電子機器を実現するに際して、操作信号を処理する部分の煩雑化を招くことなく、使用する遠隔操作の設定作業の簡素化を図ることのできる電子機器の提供。【解決手段】遠隔操作手段７１、７２から出力された操作信号によって操作設定が可能な電子機器は、遠隔操作手段７１、７２からの操作信号を受信する操作信号受信手段６１と、受信された操作信号のうち、特定の操作信号体系に基づく特定操作信号が入力されると、この特定操作信号に応じて電子機器の操作処理を行う操作信号処理手段５５１、５６１と、操作信号受信手段６１から操作信号処理手段５５１、５６１への直接信号伝送系Ａとは分岐した分岐信号伝送系Ｂに設けられ、特定操作信号とは異なる操作信号体系に基づく操作信号を、特定操作信号に変換する操作信号変換手段６４とを備える。【選択図】図２
2007019714.tif 000002
【特許請求の範囲】
【請求項１】
操作信号体系の異なる複数種類の遠隔操作手段から出力された操作信号によって操作設定が可能な電子機器であって、
前記遠隔操作手段から出力された操作信号を受信する操作信号受信手段と、
前記操作信号受信手段で受信された操作信号のうち、特定の操作信号体系に基づく特定操作信号が入力されると、この特定操作信号に応じて前記電子機器の操作処理を行う操作信号処理手段と、
前記操作信号受信手段から前記操作信号処理手段に前記操作信号を直接伝送する直接信号伝送系とは分岐した分岐信号伝送系に設けられ、前記特定操作信号とは異なる操作信号体系に基づく操作信号を、前記特定操作信号に変換する操作信号変換手段とを備え、
前記操作信号変換手段は、変換した操作信号を前記操作信号処理手段に出力し、前記操作信号処理手段は、変換された操作信号に基づいて前記電子機器の操作処理を行うことを特徴とする電子機器。
【請求項２】
請求項１に記載の電子機器において、
予め設定された複数種類の操作信号体系の識別情報、及び、各操作信号体系に基づく操作信号に応じた特定操作信号が記憶保存された変換情報記憶手段と、
前記特定操作信号のうち、所定の特定操作信号が入力されると、他の操作信号体系に基づく操作信号の変換設定が可能であることを報知する変換設定報知手段と、
前記操作信号受信手段で特定操作信号に基づく識別情報が受信されると、前記変換情報記憶部に記憶保存された操作信号体系の中から、受信された識別情報に応じた操作信号体系を選択する操作信号体系選択手段とを備えていることを特徴とする電子機器。
【請求項３】
請求項２に記載の電子機器において、
前記変換設定報知手段は、変換設定可能となった時に前記電子機器に設けられた発光体を点灯させ、選択操作終了時に前記発光体を点滅させることを特徴とする電子機器。
【請求項４】
請求項１〜請求項３のいずれかに記載の電子機器において、
前記直接信号伝送系又は前記分岐信号伝送系からの前記操作信号処理手段への操作信号の入力を切り替える伝送系切替手段と、
前記操作信号変換手段により操作信号の変換が行われると、前記伝送系切替手段を前記分岐信号伝送系に切替制御する切替制御手段とを備えていることを特徴とする電子機器。
【発明の詳細な説明】
【技術分野】
【０００１】
本発明は、操作信号体系の異なる複数種類の遠隔操作手段から出力された操作信号によって操作設定が可能な電子機器に関し、例えば、リモートコントローラで操作可能なＡＶ（Audio Visual）機器に採用することができる。
【背景技術】
【０００２】
近年、一般家庭においては、テレビジョン機器の他に、ビデオデッキやＤＶＤ（Digital Versatile Disk）、ＨＤ（Hard Disk）録画機器等が広く普及しており、放映中のテレビ番組をこれらの録画機器で録画しておき、観察者は好きな時間に録画番組見ることができるようになっている。
このようなテレビジョン機器、録画機器には、遠隔操作手段としてのリモートコントローラ等が付属しており、離れた場所からこれらの機器を遠隔操作できるようになっている。
【０００３】
しかし、各リモートコントローラから送信出力される操作信号は、機器を製造する製造会社毎、又は、機器の種別毎に特有の操作信号体系に基づいているため、操作者は機器毎にリモートコントローラを別々に操作しなければならず、操作が煩雑であるという問題がある。
このため、電子機器側にリモートコントローラから送信出力された操作信号の操作信号体系を学習させる機能を設け、複数種類のリモートコントローラによって操作可能とする技術が提案されている（例えば、特許文献１参照）。
また、初めにテレビジョン機器の画面上でメニュー選択し、使用可能なリモートコントローラを設定するようにした技術も提案されている（例えば、特許文献２参照）。
【０００４】
【特許文献１】特公平７−１００９１号公報
【特許文献２】特開２００２−３００４２０号公報
【発明の開示】
【発明が解決しようとする課題】
【０００５】
しかしながら、前記特許文献１に記載の技術では、リモートコントローラから出力された操作信号に基づいて、電子機器の操作設定処理を実際に行うコントローラに学習機能を持たせているため、コントローラ内での処理が複雑になり、高機能なコントローラを電子機器に搭載しなければならず、製造コストの低減を図ることが困難であるという問題がある。
また、前記特許文献２に記載の技術では、テレビジョン機器に付属したリモートコントローラ以外のリモートコントローラを使用する場合、テレビジョン機器を起動し、画面を見ながら設定を行わなければならないため、設定作業が煩雑化するという問題がある。
【０００６】
本発明の目的は、操作信号体系の異なる複数種類の遠隔操作手段により操作可能な電子機器を実現するに際して、遠隔操作手段からの操作信号を処理する部分の煩雑化を招くことなく、かつ使用する遠隔操作手段の設定作業の簡素化を図ることのできる電子機器を提供することにある。
【課題を解決するための手段】
【０００７】
本発明は、操作信号体系の異なる複数種類の遠隔操作手段から出力された操作信号によって操作設定が可能な電子機器であって、前記遠隔層手段から出力された操作信号を受信する操作信号受信手段と、前記操作信号受信手段で受信された操作信号のうち、特定の操作信号体系に基づく特定操作信号が入力されると、この特定操作信号に応じて前記電子機器の操作処理を行う操作信号処理手段と、前記操作信号受信手段から前記操作信号処理手段に前記操作信号を直接伝送する直接信号伝送系とは分岐した分岐信号伝送系に設けられ、前記特定操作信号とは異なる操作信号体系に基づく操作信号を、前記特定操作信号に変換する操作信号変換手段とを備え、前記操作信号変換手段は、変換した操作信号を前記操作信号処理手段に出力し、前記操作信号処理手段は、変換された操作信号に基づいて前記電子機器の操作処理を行うことを特徴とする。
ここで、特定操作信号とは、例えば、電子機器に付属するリモートコントローラ等の遠隔操作手段から出力される該電子機器専用の操作信号体系に基づく操作信号をいう。
【０００８】
この発明によれば、操作信号処理手段とは別に操作信号変換手段が設けられ、この操作信号変換手段により、異なる操作信号体系に基づく操作信号がすべて特定操作信号に変換されることとなるので、操作信号処理手段での処理が複雑化することがなく、高機能なコントローラを電子機器に設ける必要がなく、製造コストの低減を図ることができる。
また、このように構成することにより、操作信号処理手段が動作していない、例えば、電子機器がスタンバイモード等で動作している場合であっても、種類の異なるリモートコントローラを電子機器で使用可能に設定することができるため、設定作業が煩雑化することもない。
【０００９】
本発明では、予め設定された複数種類の操作信号体系の識別情報、及び、各操作信号体系に基づく操作信号に応じた特定操作信号が記憶保存された変換情報記憶部と、特定操作信号のうち、所定の特定操作信号が入力されると、他の操作信号体系に基づく変換設定が可能であることを報知する変換設定報知手段と、操作信号受信手段で特定操作信号に基づく識別情報が受信されると、変換情報記憶部に記憶保存された操作信号体系の中から、受信された識別情報に応じた操作信号体系を選択する操作信号体系選択手段とを備えているのが好ましい。
【００１０】
この発明によれば、予め異なる操作信号体系の操作信号に応じた特定操作信号を準備しておくことにより、簡単な処理で操作信号変換手段による変換を実現することができるため、操作信号変換手段を構成するマイコン等の素子として必要以上に高機能なものを採用する必要がなく、製造コストの低減に一層寄与する。
また、変換設定報知手段を備えているため、操作者は、電子機器側で変換設定可能となったことを認識することができ、特定操作信号を出力可能なリモートコントローラを操作して識別情報を送信するだけで他のリモートコントローラの使用設定を行うことができるため、変換設定操作もより簡素化することができる。
【００１１】
本発明では、変換設定報知手段は、変換設定可能となった時に電子機器に設けられた発光体を点灯させ、選択操作終了時に発光体を点滅させるのが好ましい。
ここで、発光体としては、例えば、ＬＥＤ（Light Emitting Diode）等の発光素子を採用することができる。
この発明によれば、発光体の点消灯の状態で、変換設定が可能であるか、終了したかを操作者に報せることができるため、電子機器がスタンバイモード等の場合であっても、操作者に確実に認識させて変換設定を行わせることができる。
【００１２】
本発明では、直接信号伝送系又は分岐信号伝送系からの操作信号処理手段への操作信号の入力を切り替える伝送系切替手段と、操作信号変換手段により操作信号の変換が行われると、伝送系切替手段を分岐信号伝送系に切替制御する切替制御手段とを備えているのが好ましい。
この発明によれば、伝送系切替手段及び切替制御手段を備えていることにより、操作信号変換手段により操作信号が変換されると、変換された操作信号が操作信号処理手段に必ず入力されるため、他のリモートコントローラによる操作を確実に実現することができる。
また、他のリモートコントローラによる操作設定を行った場合であっても、特定操作信号を出力するリモートコントローラによる操作も可能となるので、操作者の利便性が一層向上する。
【発明を実施するための最良の形態】
【００１３】
以下、本発明の実施の一形態を図面に基づいて説明する。
〔１〕プロジェクタ１の構成
図１には、本発明の実施形態に係る電子機器としてのプロジェクタ１が示されている。このプロジェクタ１は、テレビ放送波を受信して受信した画像を投射スクリーン上に表示するリアプロジェクタとして構成され、図示を略したが光源装置から射出された光束を、液晶パネル２によって光変調を行って投射スクリーン上に拡大投射するように構成され、
チューナ３、入力端子４、及び制御基板５を備えている。
液晶パネル２は、対向配置される一対の透明基板間に液晶を封入して構成され、いずれか一方の基板上に画素毎に形成されたＴＦＴ(Thin Film Transistor)、ＴＦＤ(Thin Film Diode)等のスイッチング素子に駆動信号を与え、これにより、画素毎に液晶の配向性を変化させることで、入射光束の光変調を行う。
【００１４】
チューナ３は、アンテナ３１で受信されたテレビ放送波のうち、選局されたチャンネルの電波を選択的に受信し、これを中間周波という一定周波数の信号に変換して出力する部分である。
入力端子４は、ビデオデッキ等の画像出力機器が接続される部分であり、図１ではコンポジット信号入力端子しか例示されていないが、この他にＲＧＢ信号入力端子、コンポーネント信号入力端子等の信号形式の異なる端子も設けられている。
【００１５】
制御基板５は、液晶パネル２を含むプロジェクタ１の装置全体の駆動制御及び画像処理を行う部分であり、デマルチプレクサ５１、デコーダ５２、画像処理部５３、液晶パネル制御部５４、ＣＰＵ５５、サブＣＰＵ５６、メモリ５７、操作パネル５８、及びデコードマイコン６を備えて構成され、これらはバスライン５９を介して接続されている。
デマルチプレクサ５１は、チューナ３から出力された信号を映像信号及び音声信号に分離するものであり、分離された映像信号は、画像処理部５３に出力され、音声信号は、図１では図示を略したが、音声処理部に出力される。
【００１６】
デコーダ５２は、入力端子４から入力されたコンポジット信号を輝度信号及び色差信号に分離する部分であり、分離された輝度信号、色差信号は、画像処理部５３に出力される。尚、コンポジット信号の場合、デコーダ５２により分離処理を行う必要があるが、セパレート信号のように、初めから輝度信号及び色差信号に分離された映像信号の場合には、このような処理を行う必要がない。
画像処理部５３は、チューナ３及びデコーダ５２から出力された映像信号の画像処理を行う部分であり、図示を略したが、シリアルデータとして入力される映像信号をフレームバッファに蓄積し、フレームレート毎の画像信号を生成する。尚、この画像処理部５３では、液晶パネル２の個体差に基づくγ補正や、リサイズ補正等をも行っている。補正された画像信号は、液晶パネル制御部５４に出力される。
液晶パネル制御部５４は、画像処理部５３から出力された画像信号に基づいて、液晶パネル２の駆動制御信号を生成し、液晶パネル２の各画素を駆動制御する。このような補正処理が施された画像信号に基づいて、液晶パネル２の駆動を行うことにより、入力された画像信号に応じた適切な光学像を再現することができる。
【００１７】
ＣＰＵ５５は、プロジェクタ１全体の制御を行う部分であり、操作パネル５８や、後述するリモートコントローラからの操作信号は、このＣＰＵ５５に入力されて処理される。ＣＰＵ５５は、入力された操作信号の内容に応じた制御信号を生成し、チューナ３による選局、入力端子４の切替、画質、音量等の設定を行う。
サブＣＰＵ５６は、プロジェクタ１がスタンバイ状態、すなわち、画像表示を行っていない状態において、操作パネル５８、リモートコントローラからの起動操作信号に基づいて、起動処理を行ってＣＰＵ５５を動作させる部分である。尚、ＣＰＵ５５及びサブＣＰＵ５６による具体的な操作処理の詳細は後述する。
【００１８】
メモリ５７には、プロジェクタ１起動時の状態設定情報や、ＣＰＵ５５上で動作する種々の制御プログラムが格納され、サブＣＰＵ５６によりプロジェクタ１が起動されると、格納された制御プログラムや状態設定情報がＣＰＵ５５上に呼び出され、表示画像の設定が行われる。
操作パネル５８は、プロジェクタ１に一体的に設けられ、起動操作ボタン、音量ボタン、チャンネル選択ボタン等の種々の操作スイッチから構成され、リモートコントローラがない場合、操作者はこの操作パネル５８の操作スイッチを押下することにより、プロジェクタ１の操作を行うことができる。尚、この操作パネル５８には、プロジェクタ１への電源供給すべてを遮断する電源マスタスイッチも設けられている。
【００１９】
デコードマイコン６は、プロジェクタ１に付属するリモートコントローラ以外のリモートコントローラからの操作信号を受信した際、受信された操作信号を、付属するリモートコントローラからの特定操作信号を変換する部分であり、このデコードマイコン６は、ＩＲレシーバ６１及びＬＥＤ６２に接続されている。尚、ＬＥＤ６２は、プロジェクタ１の他の機能、例えば、キャプチャ機能等を利用する際に、その機能のオン／オフ状態を発光表示する発光素子である。
以下、このデコードマイコン６、ＣＰＵ５５、サブＣＰＵ５６、及びメモリ５７に展開される本発明の機能的構成について、図２及び図３に基づいて詳述する。
【００２０】
〔２〕デコードマイコン６の機能的手段の構成
ＩＲレシーバ６１からＣＰＵ５５又はサブＣＰＵ５６への信号伝送は、図２に示されるように、直接信号伝送系Ａ又は分岐信号伝送系Ｂを介して行われ、ＣＰＵ５５又はサブＣＰＵ５６の前段に設けられたスイッチ６３によってどちらの伝送系を介して信号が伝送されるかを選択することができるようになっている。尚、図示を略したが、ＩＲレシーバ６１で受信されたパルス波長の組合せからなる操作信号は、このＩＲレシーバ６１の後段に設けられるＡ／Ｄコンバータによって「０、１」を組み合わせたデジタル信号列に変換され、直接信号伝送系Ａ又は分岐信号伝送系Ｂに出力されるようになっている。
【００２１】
ＩＲレシーバ６１は、遠隔操作手段としてのリモートコントローラ７１、７２からの操作信号を受信する部分であり、プロジェクタ１に付属されたリモートコントローラ７１から出力された操作信号である特定操作信号、及び、他の電子機器等に付属する操作信号体系の異なるリモートコントローラ７２から出力された操作信号を受信する。
ＣＰＵ５５及びサブＣＰＵ５６は、それぞれ操作信号処理手段５５１、５６１を備えている。各操作信号処理手段５５１、５６１は、ＩＲレシーバ６１から出力された操作信号に基づいて、操作信号に応じた制御信号を生成し、プロジェクタ１の各部位の操作制御を行う。尚、ＣＰＵ５５の操作信号処理手段５５１は、プロジェクタ１の起動中の操作信号を処理して制御信号を生成するが、サブＣＰＵ５６の操作信号処理手段５６１は、プロジェクタ１のスタンバイ状態における操作信号を処理して制御信号を生成する。
【００２２】
デコードマイコン６は、分岐信号伝送系Ｂの途中に設けられ、他の電子機器のリモートコントローラ７２から出力された操作信号を、ＣＰＵ５５及びサブＣＰＵ５６で認識できる特定操作信号に変換して出力する部分であり、操作信号変換手段６４、切替制御手段６５、操作信号体系選択手段６６、及び変換設定報知手段６７を備えて構成される。
操作信号変換手段６４は、操作信号体系の異なるリモートコントローラ７２から出力された操作信号を、プロジェクタ１に付属するリモートコントローラ７１の操作信号体系に応じた特定操作信号に変換する部分である。
各リモートコントローラ７１、７２から出力される操作信号は、１つの操作コマンドに対する信号の長さや、パルス幅等がそれぞれ異なっており、電子機器の製造会社や、機種等によって独自に設定されており、操作信号変換手段６４は、このような種々ある操作信号体系に基づく操作信号を、付属のリモートコントローラ７１の操作信号体系に基づく特定操作信号に変換するのである。
【００２３】
切替制御手段６５は、前述したスイッチ６３の切替制御を行う部分であり、具体的には、操作信号変換手段６４によりＩＲレシーバ６１で受信された操作信号が、特定操作信号に変換されたことをトリガとして、スイッチ６３を分岐信号伝送系Ｂが短絡する側に切替制御を行い、それ以外の場合には、直接信号伝送系Ａが短絡する側にスイッチ６３を切り替えている。
操作信号体系選択手段６６は、ＩＲレシーバ６１で受信された種々のリモートコントローラの操作信号のうち、どの操作信号体系に基づく操作信号を特定操作信号に変換するかの選択を促し、選択結果に基づいて、新たに使用する他の電子機器のリモートコントローラ７２の操作信号体系を選択する部分である。
新たに使用する他の電子機器のリモートコントローラ７２を登録する際には、メモリ５７内に設定された変換情報記憶手段５７１に記憶保存された情報に基づいて、リモートコントローラ７２の登録を実現する。
【００２４】
ここで、変換情報記憶手段５７１には、図３に示されるように、選択テーブルＴ１と、この選択テーブルＴ１と関連づけられた複数の変換テーブルＴ２、Ｔ３、Ｔ４…が格納されている。
選択テーブルＴ１は、製造メーカや機種に応じてそれぞれが独立に設定された操作信号体系を表すリモートコントローラ７２の識別コードと、この識別コードに応じた変換テーブルＴ２、Ｔ３、Ｔ４…の名称が格納されたテーブルとして構成されている。
変換テーブルＴ２は、各識別コードで表された操作信号体系に応じた受信操作信号と、前記操作信号変換手段６４によって変換すべき特定操作信号とを関連づけたテーブルとして構成されている。
【００２５】
図２に戻って、変換設定報知手段６７は、プロジェクタ１のスタンバイ状態において、付属されたリモートコントローラ７１の特定の操作ボタンが所定の操作で押下されたことを、サブＣＰＵ５６の操作信号処理手段５６１が検出すると、ＬＥＤ６２の点灯制御を行って、新たなリモートコントローラ７２の使用設定が可能となったことを操作者に報知する部分である。具体的には、本例では、特定の操作ボタンとしては、ヘルプメニューで用いられる「戻る」ボタンが採用され、「戻る」ボタンの一定時間の押下されていることで、操作信号処理手段５６１は、新たなリモートコントローラ７２の登録要求があったものと判定している。
【００２６】
〔３〕プロジェクタ１の作用
次に、前述したプロジェクタ１の作用について、図４〜図６に示されるフローチャートに基づいて説明する。
(3-1)リモートコントローラ７２の新規設定
操作信号体系の異なるリモートコントローラ７２を新たに設定登録する場合には、図４及び図５に示されるフローチャートに基づいて処理が実行される。
(a)プロジェクタ１のスタンバイ状態において、サブＣＰＵ５６の操作信号処理手段５６１は、ＩＲレシーバ６１で受信されるリモートコントローラ７１、７２の操作信号を監視し（処理Ｓ１）、リモートコントローラ７１から「戻る」ボタンを押した際の特定操作信号が受信されたか否かを判定する（処理Ｓ２）。尚、この状態で新たなリモートコントローラ７２からの操作信号が受信されても、操作信号体系が異なるため、操作信号処理手段５６１では、何も処理を行わない。
【００２７】
(b)操作信号処理手段５６１がリモートコントローラ７１からの特定操作信号が「戻る」ボタンの特定操作信号でないと判定された場合、操作信号処理手段５６１は、一連の処理を抜けて、特定操作信号に応じた処理を行う。この場合、操作者はまず電源ボタンを押してプロジェクタ１の起動を行うのが通常であるから、サブＣＰＵ５６の操作信号処理手段５６１は、起動処理を行ってＣＰＵ５５を起動させ、以後、ＩＲレシーバ６１で受信された特定操作信号の処理を、ＣＰＵ５５の操作信号処理手段５５１に委ねる。一方、特定操作信号が「戻る」ボタンであると判定された場合、操作信号処理手段５６１は、「戻る」ボタンの押下継続時間が一定時間、例えば、２秒継続したかどうかを判定する（処理Ｓ３）。「戻る」ボタンの押下継続時間が２秒未満である場合には、操作信号処理手段５６１は、操作信号監視に復帰して、次に受信される操作信号を監視する。
【００２８】
(c)「戻る」ボタンが２秒以上継続したと判定されたら、操作信号処理手段５６１は、操作者より新たなリモートコントローラ７２の使用設定登録要求が受信されたと判定し、その旨をデコードマイコン６に出力し、デコードマイコン６の変換設定報知手段６７は、これに基づいて、ＬＥＤ６２を点灯させる（処理Ｓ４）。
(d)操作信号体系選択手段６６は、ＬＥＤ６２の点灯後のリモートコントローラ７１からの特定操作信号の内容を監視し、設定登録作業に有効なリモートコントローラ７１の操作ボタンが操作されたかどうかを判定する（処理Ｓ５）。尚、有効な操作ボタンとしては、図３に示されるように、識別コードが数字列で設定されている場合は、数字ボタンを有効な操作ボタンとして設定しておけばよく、製造会社、機種等に応じた識別コードは、プロジェクタ１に付属されるマニュアル等に対応表を掲載しておけばよい。
【００２９】
(e)有効な操作ボタンが操作されたと判定されたら、操作信号体系選択手段６６は、その操作ボタンに応じた特定操作信号の内容をデコードマイコン６に設けられた内部メモリにストアし（処理Ｓ６）、識別コードの桁数が揃うまでこれを繰り返す（処理Ｓ７）。
(f)一方、有効な操作ボタンでないと判定された場合、操作信号体系選択手段６６は、一定時間、例えば１０秒経過したかどうかを判定し（処理Ｓ８）、一定時間経過していない場合には、再度の有効な操作ボタンの入力を監視する。そして、最終的に１０秒経過した場合、操作信号体系選択手段６６は、誤った操作であると判定し、変換設定報知手段６７に一度点灯させたＬＥＤ６２を消灯させる（処理Ｓ１２）。
【００３０】
(g)処理Ｓ７において、識別コードが所定の桁数揃ったと判定されたら、操作信号体系選択手段６６は、識別コードの認識を行い（処理Ｓ９）、認識された識別コードに基づいて、変換情報記憶手段５７１の選択テーブルＴ１に記憶保存された識別コードとの照合を行い、認識された識別コードが有効であるか否かを判定する（処理Ｓ１０）。選択テーブルＴ１内に認識された識別コードがないと判定された場合には、操作信号体系選択手段６６は、変換設定報知手段６７にＬＥＤ６２を消灯させる（処理Ｓ１２）。
(h)一方、識別コードが有効であると判定されたら、操作信号体系選択手段６６は、ＬＥＤ６２を点灯させるとともに（処理Ｓ１１）、識別コードに応じた変換テーブルＴ２、Ｔ３、Ｔ４…を呼び出して、デコードマイコン６内のメモリ上に登録した後、変換設定報知手段６７にＬＥＤ６２を消灯させ（処理Ｓ１２）、登録が終了した旨を報知する。
【００３１】
(3-2)起動中のリモートコントローラ７１、７２によるプロジェクタ１の操作
次に、プロジェクタ１の起動中によるリモートコントローラ７１、７２によるプロジェクタ１の操作について、図６に示されるフローチャートに基づいてその作用を説明する。
(a)プロジェクタ１の起動中、リモートコントローラ７１、７２のいずれかから出力され、ＩＲレシーバ６１で受信された操作信号は、ＣＰＵ５５内の操作信号処理手段５５１及びデコードマイコン６内の操作信号変換手段６４で監視され（処理Ｓ１３）、各々で操作信号を受信したか否かの判定が行われる（処理Ｓ１４）。
(b)操作信号が受信されたら、操作信号処理手段５５１及び操作信号変換手段６４は、その操作信号がリモートコントローラ７１から出力された特定操作信号であるか否かを判定する（処理Ｓ１５）。尚、各々における判定は、操作信号処理手段５５１では、特定操作信号以外の操作信号は解読できず、操作信号の処理を行うことができないことにより行われる。一方、操作信号変換手段６４では、変換テーブルＴ２、Ｔ３、Ｔ４…のうち、デコードマイコン６の内部メモリ上に記憶された変換テーブルの受信操作信号と、実際に受信された特定操作信号が一致しないため、特定操作信号が受信されても変換が行うことができないことにより判定が行われる。
【００３２】
(c)受信された操作信号が特定操作信号であると判定されたら、操作信号処理手段５５１は、この特定操作信号に基づいた操作信号を処理して、プロジェクタ１内部の種々の設定処理を実行する（処理Ｓ１９）。
(d)一方、受信された操作信号が登録したリモートコントローラ７２からの操作信号であると判定された場合、操作信号変換手段６４は、前記の内部メモリ上に記憶された変換テーブルに基づいた操作信号の変換を行う（処理Ｓ１６）。操作信号の変換処理とともに、切替制御手段６５は、スイッチ６３のポジションを分岐信号伝送系Ｂ側に変更させ（処理Ｓ１７）、スイッチ６３のポジション切替が終了したら、操作信号変換手段６４は、特定操作信号に変換された操作信号を、操作信号処理手段５５１に出力し（処理Ｓ１８）、操作信号処理手段５５１は、変換された操作信号に基づいたプロジェクタ１の種々の設定処理を実行する（処理Ｓ１９）。
【００３３】
〔４〕実施形態の変形
尚、本発明は前述の実施形態に限定されるものではなく、次に示すような変形をも含むものである。
前記実施形態では、リアプロジェクタに本発明を適用していたが、これに限らず、ＰＤＰ(Plasma Display Pnanel)、ＬＣＤ、有機ＥＬ等の薄型大型テレビジョン受像機、通常のＣＲＴ型のテレビジョン受像機に本発明を採用してもよい。さらには、テレビジョン受像機のみならず、ビデオ、ＤＶＤレコーダ、ＨＤレコーダ等の録画機器に本発明を採用してもよく、要するに、リモートコントローラによって遠隔操作するような電子機器であれば本発明を好適に採用することができる。
【００３４】
前記実施形態では、操作信号変換手段６４による操作信号の変換をテーブル参照形式で行っていたが、本発明はこれに限られない。すなわち、受信した異なる操作信号体系に基づく操作信号を、パルス幅変調、周波数変調等の変調処理を行って特定操作信号に変換するように構成してもよい。
その他、本発明の実施の際の具体的な構造及び形状等は、本発明の目的を達成できる範囲で他の構造等としてもよい。
【図面の簡単な説明】
【００３５】
【図１】本発明の実施形態に係る電子機器の構造を表すブロック図。
【図２】前記実施形態における機能的手段の構造を表す機能ブロック図。
【図３】前記実施形態における変換情報記憶手段の構造を表す模式図。
【図４】前記実施形態に係る電子機器の作用を表すフローチャート。
【図５】前記実施形態に係る電子機器の作用を表すフローチャート。
【図６】前記実施形態に係る電子機器の作用を表すフローチャート。
【符号の説明】
【００３６】
１…プロジェクタ（電子機器）、６１…ＩＲレシーバ（操作信号受信手段）、６２…ＬＥＤ（発光体）、６３…スイッチ（伝送系切替手段）、６４…操作信号変換手段、６５…切替制御手段、６６…操作信号体系選択手段、６７…変換設定報知手段、５５１、５６１…操作信号処理手段、５７１…変換情報記憶手段、Ａ…直接信号伝送系、Ｂ…分岐信号伝送系
【図１】
2007019714.tif 000003
【図２】
2007019714.tif 000004
【図３】
2007019714.tif 000005
【図４】
2007019714.tif 000006
【図５】
2007019714.tif 000007
【図６】
2007019714.tif 000008